(57)【要約】【課題】トングの腕部の連結部側が互いに近付くように持った際にその腕部が撓んだりしなったりしないようにし、このトングを用いた哺乳瓶の取り出し操作が簡単に行なえるようにする。【解決手段】トング１を、曲面板６が周回して閉断面を略筒形状とし、その周回方向に離れる二位置に腕部連結支点部９を配置した連結部２と、一方の腕部連結支点部９に連続の長尺板１０と他方に連続の長尺板１０とからなる対の腕部３と、腕部３の先端側の挟持部４と、挟持部４に設けた滑り止め部５とを備えてなるものとし、一方の腕部連結支点部９に連続する長尺板１０の基端部分１１と他方の腕部連結支点部９に連続する長尺板１０の基端部分１１とを連結部２を介して離間配置した。【選択図】図１
2019072832.tif 000002
【特許請求の範囲】
【請求項１】
合成樹脂製材料から成形されたトングであって、
帯状の曲面板が周回して形成されていて、曲面板の周回方向に離間した二位置に腕部連結支点部を配置している連結部と、
前記腕部連結支点部の内の一方に連続している長尺板と他方に連続している長尺板とからなる対の腕部と、
前記腕部それぞれの先端側に設けられている挟持部と、
前記挟持部それぞれに設けられている滑り止め部とを備え、
前記連結部は、前記曲面板の周回により閉断面の略筒形状に形成されていて、
一方の腕部連結支点部に連続する長尺板の基端部分と他方の腕部連結支点部に連続する長尺板の基端部分とが前記連結部を介して離間配置されていることを特徴とするトング。
【請求項２】
上記腕部の長尺板の基端部分が、上記腕部連結支点部から、上記曲面板の周回方向と交差する方向での外方に向けて張り出ている請求項１に記載のトング。
【請求項３】
上記腕部の長尺板と上記連結部の曲面板とが連続している上記腕部連結支点部は、曲面板の幅方向に亘って設けられている請求項１または２に記載のトング。
【請求項４】
上記腕部における連結部側に、長尺板を幅広にした太幅部が設けられている請求項１から３の何れか一項に記載のトング。
【請求項５】
上記腕部それぞれの対向面側に、長尺板の長手方向に通るリブが一体にして設けられている請求項１から４の何れか一項に記載のトング。
【発明の詳細な説明】
【技術分野】
【０００１】
本発明は、一般家庭で消毒液に浸した哺乳瓶を挟んで取り出す用途に用いるトングに関するものである。
【背景技術】
【０００２】
従来から哺乳瓶を消毒する方法の一つとして、専用容器に入れた消毒液に浸す方法が知られている。そして、消毒液の中に浸した哺乳瓶を手で引き上げずにトングが用いられており、そのトングの使い方としては、例えば、専用容器内で倒れている哺乳瓶をトングで一旦立て起こし、哺乳瓶の口部にトングの一方の腕部を通して、哺乳瓶の内外からトングの対の腕部の先端部分で瓶壁を挟んで専用容器から引き上げるようにしている。
【０００３】
また消毒液にトングを差し入れることから、トングを金属製のものとはせずに、耐薬品性のある合成樹脂製素材から成形されたトングが利用されている。そしてトングの形態としては、特許文献１、２に示されているようにトングの長手方向の一端側でＵ字状に曲がる連結部と、この連結部の対の端部に連続していて、その端部それぞれをトング長さ方向に延長する形とした対の腕部と、腕部の先端側で哺乳瓶の瓶壁などを挟む挟持部とを一体に成形されたものとしている。
【０００４】
さらに合成樹脂製素材から成形されたトングの上記挟持部それぞれには、二色成形手法を用いて、或いは後付けにてエラストマー樹脂製素材からなる滑り止め部が設けられている。
【先行技術文献】
【特許文献】
【０００５】
【特許文献１】特開２００３−１１７８４３号公報
【特許文献２】特開２０１０−１１９４９６号公報
【発明の概要】
【発明が解決しようとする課題】
【０００６】
合成樹脂製素材から成形された上記トングは軽量化されているが、連結部が単にＵ字状に曲がって対の腕部に線状に繋がった形状であり、連結部自体の剛性がそれほど高くなく、腕部を互いに近付けるようにトングを握ったときに、連結部がその曲がり方向以外にも変形し易い。
【０００７】
そして、上述のように腕部の連結部側を互いに近付けるようにトングを握り持って、トングの挟持部で哺乳瓶の瓶壁を挟む操作をするときに、長尺物である腕部それぞれに捻じれが生じ易いが、連結部からはその捻じれが何ら抑え込みできず、瓶壁を挟むために加えた力を挟持部側まで伝えることができない。そして消毒液中の哺乳瓶を取り出すときに、腕部が哺乳瓶の重みで更に捻じれ変形してしまうという不具合があった。
【０００８】
さらに腕部の連結部側を互いに近付けるようにトングを握り持った際に連結部が単独で変形すると、対の腕部がその腕部の長さ方向で揃い難くなり、挟持部同士が重なり合わない可能性もあった。
【０００９】
また、トングを消毒液内に差し入れた際にその消毒液に手を触れないようにするためには、上述のように腕部の連結部側を握ることになるが、握り持つ範囲での腕部が、腕部の先端側と同様に細いことから、腕部を互いに近付けるための力が加え難いという不具合もある。このように連結部の剛性が乏しい点や、その腕部の連結部側が細くトングを握り持つ手に力を入れ難いことから、哺乳瓶を専用容器から取り出す作業が難しくなっていた。
【００１０】
そこで本発明は上記事情に鑑み、トングの腕部の連結部側が互いに近付くように持った際にその腕部が撓んだりしなったりしないようにすることを課題とし、このトングを用いた哺乳瓶の上記取り出し操作が簡単に行なえるようにすることを目的とするものである。
【課題を解決するための手段】
【００１１】
（請求項１の発明）
本発明は上記課題を考慮してなされたもので、合成樹脂製材料から成形されたトングであって、
帯状の曲面板が周回して形成されていて、曲面板の周回方向に離間した二位置に腕部連結支点部を配置している連結部と、
前記腕部連結支点部の内の一方に連続している長尺板と他方に連続している長尺板とからなる対の腕部と、
前記腕部それぞれの先端側に設けられている挟持部と、
前記挟持部それぞれに設けられている滑り止め部とを備え、
前記連結部は、前記曲面板の周回により閉断面の略筒形状に形成されていて、
一方の腕部連結支点部に連続する長尺板の基端部分と他方の腕部連結支点部に連続する長尺板の基端部分とが前記連結部を介して離間配置されていることを特徴とするトングを提供して、上記課題を解消するものである。
【００１２】
（請求項２の発明）
そして、本発明において、上記腕部の長尺板の基端部分が、上記腕部連結支点部から、上記曲面板の周回方向と交差する方向での外方に向けて張り出ていることが良好である。
【００１３】
（請求項３の発明）
また、本発明において、上記腕部の長尺板と上記連結部の曲面板とが連続している上記腕部連結支点部は、曲面板の幅方向に亘って設けられていることが良好である。
【００１４】
（請求項４の発明）
また、本発明において、上記腕部における連結部側に、長尺板を幅広にした太幅部が設けられていることが良好である。
【００１５】
（請求項５の発明）
また、本発明において、上記腕部それぞれの対向面側に、長尺板の長手方向に通るリブが一体にして設けられていることが良好である。
【発明の効果】
【００１６】
（請求項１の発明の効果）
請求項１の発明によれば、連結部が閉断面の略筒形状とされており、この連結部自体の強度が高く変形し難い部分となっている。そのため、連結部が変形せずに腕部を支持するようになり、腕部それぞれに単独の捻じれが生じないようになるとともに、腕部の長さ方向でのズレも生じないようになる。そして腕部の連結部側を持ってその腕部の連結部側が互いに近付くように握ったときに挟持部が適正に重なり合うようになる。
【００１７】
このように対の腕部を握って哺乳瓶の挟み込みをしたときに腕部が捻じれたり、腕部相互がずれたりしないので、哺乳瓶の取り出しをこのトングを用いて確実にして簡単に行なえるという効果を奏する。
【００１８】
また、挟持部それぞれに滑り止め部が設けられているので、哺乳瓶を安定して挟持部にて挟み込むことができる。
【００１９】
さらに、長尺板の基端部分は連結部を間にして互いに離間配置されているので、対の腕部の連結部側を握り持ちながら腕部の間を狭める操作をすることで、素早く簡単に挟持部を合わせることができ、哺乳瓶などの挟み込みの操作が頗る簡単になるという効果を奏する。
【００２０】
（請求項２の発明の効果）
請求項２の発明によれば、腕部それぞれの連結部側で対の腕部の対向間隔を広げて、トングを握り持ちし易くする部分を連結部側に寄った位置に配置できるという効果を奏する。
【００２１】
（請求項３の発明の効果）
請求項３の発明によれば、連結部における腕部連結支点部が、連結部を構成している曲面板の幅方向に亘るため、腕部相互が近付く方向に長尺板の基端部分が曲がることを許容しつつ、腕部における連結部側の部分が、長尺板の長手方向に沿う中心線回りに捻じれる変形をより一層、確実に抑えることができ、腕部の連結部側を持って腕部相互を近付けるように握っても、腕部に捻じれを生じさせないようにすることができる。
【００２２】
また、腕部それぞれの長さ方向でのズレもより一層、確実に防止され、挟持部同士が適正に重ね合わせることができる効果が高まる。
【００２３】
（請求項４の発明の効果）
請求項４の発明によれば、太幅部の剛性が高いものとなることから、腕部における連結部側の二つの太幅部を一緒に握り持つことで、その握り持つ力が適正に腕部それぞれの挟持部側に伝わるようになり、消毒液が入り込んだ哺乳瓶であっても確実に持ちあげることができる。よって、哺乳瓶をトングでより確実にして簡単に取り扱えるようになるという効果を奏する。
【００２４】
（請求項５の発明の効果）
請求項５の発明によれば、腕部それぞれにおいて、腕部対向方向とは反対側に向けて曲げようとする作用に対してより一層抗することができるようになる。よって、哺乳瓶の瓶壁を挟み持つときに腕部それぞれに反りを生じ難くなり、腕部の連結部側が互いに近付くように握り持ったときの力を確実に挟持部側に伝えることができるという効果を奏する。
【図面の簡単な説明】
【００２５】
【図１】本発明に係るトングの実施の形態を正面から見た状態で示す説明図である。
【図２】同じく実施の形態を側方から見た状態で示す説明図である。
【図３】太幅部の断面を図１Ｘ−Ｘ線に沿った位置で示す説明図である。
【図４】滑り止め部を示すもので、（ａ）はフィンを正面にして見た状態を示す説明図、（ｂ）は側方から見た状態を示す説明図、（ｃ）はトング下端側から見た状態を示す説明図である。
【図５】従来のトングと実施の形態とを概略的に表して対比を示すもので、（ａ）は従来のトングを概略的に示す説明図、（ｂ）は実施の形態を概略的に示す説明図である。
【図６】連結部３の他例を示す説明図である。
【図７】フィンの他例を示すもので、（ａ）は傾斜面の下端がフィン高さ方向での途中位置に達する断面形状のフィンを示す説明図、（ｂ）は傾斜面の下端がフィン基部位置に達する断面形状のフィンを示す説明図である。
【発明を実施するための形態】
【００２６】
つぎに本発明を図示の実施の形態に基づいて詳細に説明する。図中１は合成樹脂製素材からなるトングで、図１と図２に示されているようにトング１は、このトング長さ方向での一端側となる連結部２と、連結部２に連続してトング長さ方向に延びている対の腕部３と、トング長さ方向での他端側で、腕部３それぞれの前記連結部２とは反対の先端側となる部分に設けられている挟持部４とを備え、この連結部２と対の腕部３と挟持部４とが一体にして成形されている。なお、図１のＳ１は対の腕部３の対向方向での中心線であって、トング１の中心線の位置を示す。
【００２７】
また、トング１は、対の腕部３が互いに近付くように持って挟持部４の間で挟んだ物品（例えば哺乳瓶の瓶壁）を滑りなく、より確実に挟み込んで保持できるようにするために、前記挟持部４に、エラストマー樹脂材からなり、略キャップ状にして被せ付けることによって設けられた滑り止め部５を備えている。図４参照
【００２８】
（連結部）
トング１の上記連結部２は、帯状の曲面板６が周回して閉断面の略筒形状に形成されているものであり、この連結部２でのトング長さ方向で最端部側（腕部とは反対側）に、トング長さ方向の他端側に向けて凹んだ凹曲板部７が位置し、正面視したときの形状がハート状となるように設けられている。
【００２９】
さらに図１と図２とに示されているように上記凹曲板部７の辺部には、消毒液を入れた図示しない専用容器の縁部に掛け止めることができるフック８が連続している。
【００３０】
このようにトング１では、連結部２を上記曲面板６が周回して閉断面の略筒形状とすることで剛性が高められていて、連結部２自体が変形しないように設けられている。そして、剛性が高く変形が抑えられているこの連結部２にあっては、対の腕部３が連続する部分である腕部連結支点部９が曲面板６の周回方向に離間した二位置に設けられている。
【００３１】
（腕部）
対の腕部３は、上記曲面板６に設けられた二つの腕部連結支点部９の内の一方に連続してトング長さ方向に向けて延設されている長尺板１０と、前記腕部連結支点部９の内の他方に連続してトング長さ方向に向けて延設されている長尺板１０とからなるものである。そして、二つの腕部連結支点部９が曲面板６の周方向に離間しているため、二本の長尺板１０は、その基端部分１１それぞれが互いに直接には連続してはおらずに離間配置されている。
【００３２】
長尺板１０それぞれは、腕部連結支点部９からこの長尺板１０の長さでの中間より若干腕部連結支点部９側に寄った位置までを、腕部対向方向での外方に向けて凸となるように緩やかに湾曲した湾曲範囲１２とし、この湾曲範囲１２の連結部２とは反対側の部分を腕部対向方向での内方に向けて凸となるくびれ部分１３とし、さらには前記くびれ部分１３に連続する略直線状にして、挟持部４に至るに従って腕部対向方向での間隔が僅かに広がるように外方に傾斜する直線範囲１４としている。図１参照
【００３３】
（挟持部）
長尺板１０の先端側（連結部２とは反対側）はクランク状に曲成され、そのクランクの部分を介して板状とした上記挟持部４が連続している。
【００３４】
（滑り止め部）
挟持部４それぞれに被せ付けてなる滑り止め部５にあっては、対向面に柔軟性を備える複数のフィン１５が配列されている。また滑り止め部５それぞれの同一側の辺に突起１６が一体にして突設され、消毒液中で横置きとなっている哺乳瓶の口部にこの突起１６を引っ掛けて起こす際に利用される部分である。
【００３５】
滑り止め部５のフィン１５は形状が限定されるものではない。例えばフィン１５をトングの長さ方向に並べ設けるとともに、フィン１５それぞれの突出先端縁の形状が、その突出先端縁での中央部分を腕部対向方向での内方に向けて凸とする緩やかな曲線形状になるようにすることが可能である。
【００３６】
（腕部連結支点部）
腕部３の上記長尺板１０における基端部分１１と連結部２の曲面板６とが連続する腕部連結支点部９は、曲面板６の幅方向に亘って設けられている。このように腕部連結支点部９が、閉断面の略筒形状とした連結部２を構成する曲面板６の幅方向に亘って設けられているので、長尺板１０の基端部分１１が、長尺板１０の長手方向に沿う中心線回りに捻じれる変形を抑えることとなり、長尺板１０全体、即ち腕部３の中心線回りの捻じれを防止する。なお、図２のＳ２は腕部３の中心線とこの中心線の延長部分を示す。
【００３７】
なお、曲面板６の側辺部分１７は角立つことがないように丸味を呈する形状とされていて、曲面板６の側辺部分１７まで腕部連結支点部９が及ぶと、長尺板１０の基端部分１１を中心として長尺板１０が回動する動きを損なうので、腕部連結支点部９は前記側辺部分１７までには達していない。
【００３８】
（長尺板基端部分の離間配置）
上述したように腕部連結支点部９が曲面板６の周回方向に離間した二位置に設けられていることから、長尺板１０の基端部分１１は連結部２を間にして互いに離間配置されている。そのため対の腕部３の連結部２側を握り持ちながら腕部３の間を狭める操作をすることで、素早く簡単に挟持部４を合わせることができるようになる。
【００３９】
これに対し、図５（ａ）で概略的に示すように、従来のトングＡでは、対の腕部Ｂを繋いでいる連結部分Ｃが一点の支点となって、或いは腕部Ｂそれぞれの支点間隔が狭いものであるため、対の腕部Ｂの間を広げて握り持つ部分を、ピンセットのようにトングの長さ方向の中段近くまでにおろさざるを得ず、消毒液に手が触れ易くなってしまうという不具合がある。
【００４０】
また、従来のトングＡでの腕部の間が広がる外への傾斜面を押すように握り持つこととなるため、腕部Ｂそれぞれを押す力Ｆの方向がトング先端側（挟持部側）に傾斜してしまい、対の腕部Ｂを近付けるように握り持つ操作が不確実になり易い。一方、図５（ｂ）に示すように本実施の形態のトング１では連結部２側で腕部連結支点部６が離間しているので、対の腕部３を近付けるときの押す力Ｆの向きが対向する方向となるため、握り持って対の腕部３を互いに近付ける操作が頗る簡単で安定感のあるものとなる。
【００４１】
さらに、上記腕部３の長尺板１０の基端部分１１が、腕部連結支点部９から曲面板６の周回方向と交差する方向での外方に向けて張り出ており、基端部分１１での曲がりを生じさせる箇所が、対向方向で互いに離れる配置となる。即ち、腕部３それぞれの支点Ｇの間が広がることとなり、連結部２に近い部分で腕部３同士を僅かに近付けるだけで挟持部４同士を合わせることができ、腕部３の操作がより簡単になる。
【００４２】
（太幅部）
上述したように腕部３の湾曲範囲１２それぞれは図１に示すように対向方向の外方に向けて凸となる緩やかな湾曲した形状に設けられているが、本実施の形態においては、この湾曲範囲１２において、長尺板１０の中心線回りでの捻じれを抑える更なる工夫が施されている。
【００４３】
上記湾曲範囲１２において、長尺板１０の長手方向に沿った側辺がこの長尺板１０の幅方向の外方に向けて凸となる緩やかな湾曲線となるようにして幅広の太幅部１８が設けられている。
【００４４】
このように連結部２側の湾曲範囲１２を太幅部１８としていることから、長尺板１０の連結部２側の剛性がさらに向上して、長尺板１０の全体が捻じれに抗することができるようにしている。
【００４５】
（リブ）
さらに上記長尺板１０それぞれの対向面側に、この長尺板１０の長手方向に沿ってリブ１９が一体にして設けられている。なお、リブ１９は基端部分１１での曲がりを損なわないように連結部２の曲面板６には連続していない。
【００４６】
このように長尺板１０それぞれの対向面側に、長尺板１０の長手方向に通るリブ１９が一体にして設けられていることから、腕部対向方向とは反対側に向けて曲げようとする作用に適切に抗するようになり、挟持部４で哺乳瓶の瓶壁を挟み込んだときに腕部３それぞれに反りを生じさせず、確実に物品を挟持することができるように設けられている。
【００４７】
なお、図２に示すように長尺板１０の外表面側にも長尺板１０の長手方向に沿って上記リブ１９と対向する位置にして外リブ２０が設けられていて、この外リブ２０によってもリブ１９と同様に、腕部３の反り、しなりを生じさせないようにしている。
【００４８】
さらに上記太幅部１８の外表面には外方に向けて盛り上がっている滑り止めの凸部２１が設けられており、太幅部１８の外方からの握り持ちは挟み持ちが確実に行なえるように図られている。
【００４９】
（連結部の他例）
上記連結部２は、曲面板６が周回して閉断面の略筒形状にし、内側を空所とした形態に形成されているが、腕部３の捻じれ防止や、腕部３の長さ方向でこの対の腕部３が揃い易くするために、連結部２の剛性をさらに高める工夫がある。図６にその例が示されている。
【００５０】
図６に示された例では、連結部２の内側に、対にして湾曲補強板（２２）をこの連結部２に一体にして設けている。湾曲補強板２２それぞれは腕部３の長尺板１０に曲面板６を介して連続するように形成されているものであって、この湾曲補強板２２は、対の腕部３の長尺板１０の延長線それぞれが、この長尺板１０の基端部分１１と連結部２の曲面板６とが連続する上記腕部連結支点部９の部分を通って連結部２の内側に入った位置から、トング１の中心線Ｓ１側に向けて凸となるように湾曲して上記凹曲板部７の両側（曲面板周回方向での両側）に達する位置に設けられている。
【００５１】
湾曲補強板２２の板幅は、腕部連結支点部９の部分での長尺板１０の板幅とほぼ同等とされている。そして、この対の湾曲補強板２２それぞれが、腕部３の長尺板１０に曲面板６を介して連続するようにして連結部２の内側に位置し、この連結部２の内側で図示されているように腕部３の長さ方向の二位置（腕部連結支点部側と凹曲板部７の側部分側）に連続した状態となっている。そのため、連結部２自体の剛性が高められて、腕部３を近付けるように太幅部１８を押し込んだ際の腕部３それぞれの捻じれ防止、また腕部３の長さ方向で対の腕部３の位置ズレを生じさせない上で高い効果を奏する。
【００５２】
（フィンの他例）
上述したように滑り止め部５の複数のフィン１５はトング１の長さ方向に並べ設けられていて、図４において、最下端のフィンを除くフィン１５の高さを、フィン長さ方向で同じにして突出先端縁の形状を直線にし、最下端のフィン１５では突出先端縁の形状を曲線にした形態を図示している。そして、最下端以外のフィン１５の突出先端縁の形状についても、突出先端縁の形状が直線に限定されないこととしている。
【００５３】
また、図４（ｂ）で示されているようにフィン１５それぞれの腕部３側となる側面が、先端縁の位置から片流れ状に傾斜していて、傾斜部分を曲面にしている。具体的にはフィンの長さ方向に直交する方向での断面形状を尖頭形にするとともに、先端縁側の断面形状がこのフィン断面の中心線に対して非対称となるようにフィン１５の腕部３側の側面を先端縁の位置から片流れ状に傾斜させている。
【００５４】
そのため、トング１を立てて哺乳瓶の瓶壁を内外から挟持部４で挟み込みすると、フィン１５それぞれの先端縁の尖頭形の部分が瓶壁に当接して変形し、さらに哺乳瓶を持ち上げるときは、フィン１５それぞれが一様に先端縁側から下方に倒れ込む変形をして連結部３側の側面それぞれが瓶壁に密着する。連結部３側の側面が傾斜した面であることから、哺乳瓶の瓶壁に対して広い接触面で滑り止め部５が密着して、哺乳瓶を確実に保持することができる。そして、滑り止め部５が広い接触面を確保して哺乳瓶の瓶壁に内外から密着するので、消毒液中に浸け込んだ哺乳瓶を消毒液中で上下させる場合のように、哺乳瓶の瓶壁をトング１で挟んだ状態で哺乳瓶を取り上げ方向と逆方向に押し込んでもトング１から哺乳瓶がズレるという不具合を生じさせない。
【００５５】
フィン１５の先端縁側を片流れ部分の曲面として説明したが、図７（ａ）（ｂ）に示すように連結部３側で傾斜した面を平面にし、その傾斜面の下端がフィンの高さ方向での途中位置に達しさせ（図７（ａ））、また傾斜面の下端がフィン基部位置に達しさせて（図７（ｂ））、フィン断面を中心線Ｓ３に対して非対称の楔形状となるようにすることも可能である。
【符号の説明】
【００５６】
１…トング
２…連結部
３…腕部
４…挟持部
５…滑り止め部
６…曲面板
７…凹曲板部
８…フック
９…腕部連結支点部
１０…長尺板
１１…基端部分
１２…湾曲範囲
１４…直線範囲
１５…フィン
１６…突起
１７…曲面板の側辺部分
１８…太幅部
１９…リブ
２２…補強湾曲板
【図１】
2019072832.tif 000003
【図２】
2019072832.tif 000004
【図３】
2019072832.tif 000005
【図４】
2019072832.tif 000006
【図５】
2019072832.tif 000007
【図６】
2019072832.tif 000008
【図７】
2019072832.tif 000009